(57)【要約】【課題】タッチセンサを画面枠に設けても、多様な操作を確実に行うことができる画像表示装置（５０）を提供する。【解決手段】窓部（２ｂ１）を有する筐体（２ａ）と、窓部から画像を臨めるように筐体に収容された画像表示部（２ｃ）と、タッチ面（８ａ）が筐体における開口部の一辺（２ｂ１−Ｌ）に沿って細長形状で露出するよう筐体に設けられた第１タッチセンサ（８）と、第２タッチセンサ（１８）と、第１タッチセンサから出力された信号に基づいて画像を変化させて表示する制御部（１２）と、を備え、制御部は、第２タッチセンサからの出力がない状態で第１タッチセンサから信号が出力された場合と、第２タッチセンサからの出力がある状態で第１タッチセンサから信号が出力された場合とで、画像の変化を異ならせる。【選択図】図１
2009164757.tif 000002
【特許請求の範囲】
【請求項１】
画像を表示する画像表示パネルと、
前記画像表示パネルを収容すると共に前記画像を外部から臨める矩形の窓部が設けられた筐体と、
タッチ面に対する人体の接触で信号を出力し、前記タッチ面が前記筐体における前記窓部の一辺に沿って細長形状で露出するよう前記筐体に設けられた第１のタッチセンサと、
タッチ面に対する人体の接触で信号を出力する第２のタッチセンサと、
前記第１のタッチセンサから出力された信号を検出し、その信号に基づいて前記画像を変化させて表示する制御部と、を備え、
前記制御部は、前記第２のタッチセンサからの出力がない状態で前記第１のタッチセンサから前記信号が出力された場合と、前記第２のタッチセンサからの出力がある状態で前記第１のタッチセンサから信号が出力された場合とで、前記画像の変化を異ならせる画像表示装置。
【請求項２】
前記第２のタッチセンサは、前記筐体における前記第１のタッチセンサの長手方向の延長上に配設されていることを特徴とする請求項１記載の画像表示装置。
【請求項３】
前記制御部は、当該画像表示装置の電源が待機状態にあり、かつ、前記第２のタッチセンサの出力がある状態で前記第１のタッチセンサから信号が出力された場合に、当該画像表示装置の主電源を投入することを特徴とする請求項１記載の画像表示装置。
【請求項４】
撮影レンズを介した被写体像を光電変換して画像信号を出力する撮像素子と、
前記画像信号に基づく画像を表示する画像表示パネルと、
前記画像表示パネルを収容すると共に前記画像を外部から臨める矩形の窓部が設けられた筐体と、
タッチ面に対する人体の接触で信号を出力し、前記タッチ面が前記筐体における前記窓部の一辺に沿って細長形状で露出するよう前記筐体に設けられた第１のタッチセンサと、
タッチ面に対する人体の接触で信号を出力する第２のタッチセンサと、
前記第１のタッチセンサから出力された信号を検出し、その信号に基づいて前記画像を変化させて表示する制御部と、を備え、
前記制御部は、前記第２のタッチセンサからの出力がない状態で前記第１のタッチセンサから前記信号が出力された場合と、前記第２のタッチセンサからの出力がある状態で前記第１のタッチセンサから信号が出力された場合とで、前記画像の変化を異ならせる撮像装置。
【請求項５】
前記第２のタッチセンサは、前記筐体における前記第１のタッチセンサの長手方向の延長上に配設されていることを特徴とする請求項３記載の撮像装置。
【請求項６】
前記制御部は、当該撮像装置の電源が待機状態にあり、かつ、前記第２のタッチセンサの出力がある状態で前記第１のタッチセンサから信号が出力された場合に、当該撮像装置の主電源を投入することを特徴とする請求項４記載の撮像装置。
【発明の詳細な説明】
【技術分野】
【０００１】
本発明は、画像表示装置及び撮像装置に係り、特に、画面に表示された選択対象領域の選択などの入力操作をタッチセンサで行う画像表示装置及び撮像装置に関する。
【背景技術】
【０００２】
画像を表示する表示部を備えた画像表示装置として、ノート型のパーソナルコンピュータ（ＰＣ），携帯電話，携帯情報端末（ＰＤＡ：Ｐｅｒｓｏｎａｌ  Ｄｉｇｉｔａｌ  Ａｓｓｉｓｔａｎｔｓ），ポータブルナビゲーション装置（ＰＮＤ：Ｐｅｒｓｏｎａｌ  Ｎａｖｉｇａｔｉｏｎ  Ｄｅｖｉｃｅ），ビデオカメラ等の撮像装置，及びゲーム機などが知られている。
【０００３】
これらの装置は、その多くが可搬型として商品化されており、可搬型として、装置自体のサイズはできるだけ小さく、反面、表示画面はできるだけ大きくすることが市場から求められている。
【０００４】
この要求に応えるため、装置筐体の表示部を備えた面において、その面に対する表示画面の占める面積比率は、可能な限り高められる。
換言するならば、画面を囲う枠の幅が可能な限り狭められる。
【０００５】
一方、表示部を備えた面には、画面と共に、画面に表示されたいわゆるアイコンなどの選択対照領域の選択，その選択の決定，表示画面のスクロール，表示画面のページ送り、などの操作の指示を入力するための操作子を備えていることが、使い勝手の観点から望まれる。
【０００６】
操作子としては、押し下げボタン、回転ノブ、タッチプレートなどが用いられる。
【０００７】
従って、画像表示装置においては、市場要求に応じて装置のサイズを小さくするため狭められた画面枠に、何らかの工夫をして操作子を配設することが必要となる。
具体的には、操作子自体を小さくする、操作子の数を減らし一つの操作子に複数の入力機能を持たせたりする、などである。
【０００８】
しかしながら、これらの工夫は、使用者にとっては、操作がし難く、使い勝手が悪くなるものである。
従って、画像表示装置をせっかく小型化しても、使用者から望まれないものになってしまう虞がある。
【０００９】
そこで、操作子を用いることなく入力操作が行える、いわゆるタッチパネルを採用した画像表示装置も販売されている。
タッチパネルは、その画像を表示するパネル面を指などで押さえることで、その押さえた位置に応じた入力を実行できるパネルである。
【００１０】
しかしながら、このタッチパネルにおいても、以下の問題が指摘されている。
すなわち、画面に表示された選択領域が小さいと、指での操作が困難になり、それに伴い、表示する選択領域の大きさや表示画面のデザインに制限が生じる。画面が指紋などで汚れる。操作する際に、指で画面の表示が隠れてしまう。画面が大きくなるほど、操作時の指の移動量が多くなり、迅速な操作がし難く、また、長時間の操作では指が疲れてしまう。画像表示装置が撮像装置であってその録画動作中の場合に、パネル面を指で押さえることで撮像装置が動いてしまい、撮
影している画像が揺れてしまう、という問題である。
【００１１】
そこで、接触子が小さくても、人体（指など）が触れるだけで確実に入力可能なタッチセンサが注目されている。
このタッチセンサを画面枠に設けた画像表示装置の例が、車載表示装置として特許文献１に記載されている。
【００１２】
【特許文献１】特開２００７−１５６９９１号公報
【発明の開示】
【発明が解決しようとする課題】
【００１３】
上述したタッチセンサを備えた画像表示装置は、タッチセンサの押し下げ操作に加えて、感知した接触圧に応じて入力に対応する動作を変化させてもよいとされている。しかしながら、センサに触る一つの指で、その接触の程度の細かなコントロールをするのは難しいのが実情である。特に、高齢者にとって難しい操作になる可能性が高い。
【００１４】
また、画像表示装置が車載用であると、車の走行に伴う揺れや振動により、一本の指の接触操作では、意図した操作が行い難い状況も想定される。
【００１５】
このように、一つのタッチセンサに接触の程度によって多くの機能を兼用させることには操作上の限界がある。
【００１６】
一方、上述したタッチセンサを備えた画像表示装置は、指がタッチ（接触）するタッチセンサの接触部の面積が小さくても、確実に入力を行うことができるものであるが、そのことが逆に、わずかな接触で意図しない入力が行われてしまう、あるいは、意図せずタッチセンサに触れて継続して行われなければいけない動作が他の動作に移行してしまう、という使い勝手上の更なる改善点が認識されてきている。
【００１７】
具体的な例としては、画面に表示された複数の選択領域（アイコンなど）の内の一つが選択された状態で、タッチセンサに意図せず僅かに触れてしまい、決定として入力されてしまう、あるいは、あるページを表示させて閲覧中に、過ってタッチセンサに触れてしまい、次のページにページ送りされてしまう、という不具合である。
【００１８】
また、画像表示装置が撮像装置の場合は、例えば、録画動作中にタッチセンサに意図せず触れてしまい、モニター中の撮影画面にメニュー画面が重畳表示されてモニターに支障をきたす、などの不具合である。
【００１９】
そこで、本発明が解決しようとする課題は、画面を触ることなく入力が可能なようにタッチセンサを画面枠に設け、一つのタッチセンサに複数の機能を割り振ったとしても、その操作を確実に行うことができる画像表示装置及び撮像装置を提供することにある。
【００２０】
また、画面を触ることなく入力が可能なようにタッチセンサを画面枠に設けても、意図しない入力が行われる可能性が少なく、使い勝手に優れた画像表示装置及び撮像装置を提供することにある。
【課題を解決するための手段】
【００２１】
上記の課題を解決するために、本願発明は手段として次の１）〜４）の構成を有する。
１）画像を表示する画像表示パネル（２ｃ）と、
前記画像表示パネル（２ｃ）を収容すると共に前記画像を外部から臨める矩形の窓部（２ｂ１）が設けられた筐体（２ａ）と、
画像を表示し前記窓部（２ｂ１）からその画像を臨めるように前記筐体（２ａ）に収容された画像表示部（２ｃ）と、
タッチ面（８ａ）に対する人体の接触で信号を出力し、前記タッチ面（８ａ）が前記筐体（２ａ）における前記窓部（２ｂ１）の一辺（２ｂ１−Ｌ）に沿って細長形状で露出するよう前記筐体（２ａ）に設けられた第１のタッチセンサ（８）と、
タッチ面（８ａ）に対する人体の接触で信号を出力する第２のタッチセンサ（１８）と、
前記第１のタッチセンサ（８）から出力された信号を検出し、その信号に基づいて前記画像を変化させて表示する制御部（１２）と、を備え、
前記制御部（１２）は、前記第２のタッチセンサ（１８）からの出力がない状態で前記第１のタッチセンサ（８）から前記信号が出力された場合と、前記第２のタッチセンサ（１８）からの出力がある状態で前記第１のタッチセンサ（８）から信号が出力された場合とで、前記画像の変化を異ならせる画像表示装置（５０）である。
２）  前記第２のタッチセンサ（１８）は、前記筐体（２ａ）における前記第１のタッチセンサ（８）の長手方向の延長上に配設されていることを特徴とする１）に記載の画像表示装置（５０）である。
３）  前記制御部（１２）は、当該画像表示装置の電源が待機状態にあり、かつ、前記第２のタッチセンサ（２９）の出力がある状態で前記第１のタッチセンサ（８）から信号が出力された場合に、当該画像表示装置の主電源を投入することを特徴とする１）に記載の画像表示装置（５０）である。
４）  撮影レンズ（３）を介した被写体像を光電変換して画像信号を出力する撮像素子（５）と、
前記画像信号に基づく画像を表示する画像表示パネル（２ｃ）と、
前記画像表示パネル（２ｃ）を収容すると共に前記画像を外部から臨める矩形の窓部（２ｂ１）が設けられた筐体（２ａ）と、
前記画像信号に基づく画像を表示し前記開口部（２ｂ１）からその画像を臨めるように前記筐体（２ａ）に収容された画像表示部（２ｃ）と、
タッチ面（８ａ）に対する人体の接触で信号を出力し、前記タッチ面（８ａ）が前記筐体（２ａ）における前記窓部（２ｂ１）の一辺（２ｂ１−Ｌ）に沿って細長形状で露出するよう前記筐体（２ａ）に設けられた第１のタッチセンサ（８）と、
タッチ面（８ａ）に対する人体の接触で信号を出力する第２のタッチセンサ（１８）と、
前記第１のタッチセンサ（８）から出力された信号を検出し、その信号に基づいて前記画像を変化させて表示する制御部（１２）と、を備え、
前記制御部（１２）は、前記第２のタッチセンサ（１８）からの出力がない状態で前記第１のタッチセンサ（８）から前記信号が出力された場合と、前記第２のタッチセンサ（１８）からの出力がある状態で前記第１のタッチセンサ（８）から信号が出力された場合とで、前記画像の変化を異ならせる撮像装置（５０）である。
５）  前記第２のタッチセンサ（１８）は、前記筐体（２ａ）における前記第１のタッチセンサ（８）の長手方向の延長上に配設されていることを特徴とする３）に記載の撮像装置（５０）である。
６）  前記制御部（１２）は、当該撮像装置の電源が待機状態にあり、かつ、前記第２のタッチセンサ（２９）の出力がある状態で前記第１のタッチセンサ（８）から信号が出力された場合に、当該撮像装置の主電源を投入することを特徴とする４）に記載の撮像装置（５０）である。
【発明の効果】
【００２２】
本発明によれば、一つのタッチセンサに複数の機能を割り振ったとしても、その操作を確実に行うことができる、という効果を奏する。
【００２３】
また、意図しない入力が行われる可能性が少なく、使い勝手に優れる、という効果を奏する。
【発明を実施するための最良の形態】
【００２４】
本発明の実施の形態を、好ましい実施例により図１〜図１５を用いて説明する。
【００２５】
以下に説明する画像表示装置の実施例は、撮像装置である。ここでは、その一例として、ハードディスクを記録媒体として内蔵し画像を液晶表示パネルで表示するビデオカメラ５０を説明する。
【００２６】
図１は、このビデオカメラ５０を斜め左後方から見た外観斜視図である。
まず、全体構成の概略を説明する。
【００２７】
このビデオカメラ５０は、本体部１と、この本体部１の左側面において、ヒンジ部１ａにより本体部１に対して約９０°の範囲で開閉自在とされた表示部２と、本体部１の前側に設けられたレンズ部３と、本体部１の右側面に設けられてこの本体部１を把持するためのグリップ部４と、を備えている。
【００２８】
また、本体部１の内部には、レンズ部３からの被写体像を撮像する撮像素子５と、撮像素子５で撮像された画像を記録する記録媒体であるハードディスク６ａを搭載したハードディスク装置６と、カード状記録媒体であるメモリーカード６ｂと、このビデオカメラ１全体を制御する制御部７と、画像処理回路１０と、を備えて構成されている。構成の詳細は、ブロック図を用いて後述する。
【００２９】
一方、表示部２は、矩形平板状の筐体２ａと、その一面２ｂ（以下、操作面２ｂとも称する）に設けられた開口部２ｂ１を通して表示画面が視認できるように筐体２ａに内蔵された表示パネル２ｃと、を備えて構成されている。
この開口部２ｂ１は、表示画面が外部から臨めるように設けられた窓部である。
従って、表示パネル２ｃの表示面が露出していてもよく、また、その表示面を覆うように透明の保護パネル（アクリル樹脂など）がはめ込まれていてもよい。
【００３０】
この表示パネル２ｃとしては、液晶の他に有機ＥＬ（Ｏｒｇａｎｉｃ  Ｅｌｅｃｔｒｏ  Ｌｕｍｉｎｅｓｃｅｎｃｅ）などの表示パネルを用いることができる。
【００３１】
また、筐体２ａは、その一側面２ｄがヒンジ部１ａと連結され、本体部１に対して回動軸ＣＬ１回りの矢印Ｄ１方向に開閉可能とされている。
また、ヒンジ部１ａは、筐体２ａを回動軸ＣＬ２回りにも回動自在に支持している。
【００３２】
表示部２の操作面２ｂの上述した開口部２ｂ１は、図１の左右方向（このビデオカメラ５０の水平方向）を長手とする矩形に開口している。この実施例では開口は長方形である。
筐体２ａの操作面２ｂには、開口部２ｂ１の左辺、すなわち、ヒンジ部１ａから遠い側の短辺に沿って、タッチセンサ８が設けられている。
【００３３】
また、そのタッチセンサ８の上方側の、操作面２ｂと筐体２ａの天側の側面２ｅとに跨るように、別のタッチセンサ１８が設けられている。
また、操作面２ｂには、開口部２ｂ１の下長辺に沿って、複数のタッチセンサを含む操作子群９が配設されている。
【００３４】
以下、タッチセンサ８，１８と操作子群９とを含みこのビデオカメラ５０が有する入力操作子を総称して入力操作子ＮＳと総称する。
【００３５】
このビデオカメラ５０は、上述した構成により、レンズ部３を介した被写体像を撮像素子５により取り込み、取り込んだ画像の記録や記録した画像の再生を行い、また、画像表示部での画像の表示を行う。
【００３６】
次に、全体構成の詳細を説明する。
図２は、このビデオカメラ５０の基本ブロック図である。
【００３７】
レンズ部３は、被写体の像を撮像素子５に結像する。
撮像素子５は、光電変換により被写体の像を画像信号Ｓ１として出力する。
カメラ制御回路１１ａは、レンズ部３及び撮像素子５を含むカメラブロックを制御する回路である。
画像処理回路１１ｂは、カメラ制御回路１１ａを経た画像信号Ｓ１に対して信号処理を施す回路である。
ＣＰＵ１２は、このビデオカメラ５０全体の動作を制御する制御部である。
ＥＮＣ／ＤＥＣ回路（エンコード／デコード回路）１１ｃは、画像データのＪＰＥＧ及びＭＰＥＧ方式でのエンコード及びデコードを実行する（ＪＰＥＧ：Ｊｏｉｎｔ  Ｐｈｏｔｏｇｒａｐｈｉｃ  Ｅｘｐｅｒｔｓ  Ｇｒｏｕｐ，ＭＰＥＧ：Ｍｏｖｉｎｇ  Ｐｉｃｔｕｒｅ  Ｅｘｐｅｒｔｓ  Ｇｒｏｕｐ）。
入力操作子ＮＳは、使用者の操作を検知して入力信号Ｓ２を出力する。この入力指示信号Ｓ２は制御部１２に送出される。
ハードディスク６ａには、画像処理回路１１ｂから送出された画像データなどのデータが記録される。また、ハードディスク６ａに記録された画像データなどのデータが読み出されて画像処理回路１１ｂに送られる。
メモリーカード６ｂには、画像処理回路１１ｂから送出された画像データなどのデータが記録される。また、メモリーカード６ｂに記録された画像データなどのデータが読み出されて画像処理回路１１ｂに送られる。
バッファメモリである、ＳＤＲＡＭ１３ａ，１３ｂ，及びＥＥＰＲＯＭ１３ｃは、画像データなどのデータを一時記憶する（ＳＤＲＡＭ：Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＥＥＰＲＯＭ：Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）。
アナログＩ／Ｆ（インターフェース）１４は、デジタルの出力画像信号をアナログ出力信号に変換して表示パネル２ｃに送出する。
外部入出力部３１は、アナログＩ／Ｆに接続され画像や音声などのアナログ信号を外部との間で入出力する。
電源３０は、本体部１に直接装着されたバッテリを用いて供給されてもよく（図１参照）、ＡＣアダプターなどの外部機器から外部入出力部３１を介して供給されてもよい。
制御部１２は、電源の待機状態（主電源オフでの待機状態）または主電源の投入状態（主電源オン）との切換を制御する。
【００３８】
次に、具体的な動作の例を説明する。
【００３９】
このビデオカメラ５０は、被写体像の動画と静止画との両方を撮影して記録することができるように構成されている。
その場合、入力操作子ＮＳの内の、記録／再生切り替えスイッチを押し下げることで再生モードから記録モードへの移行を指示できる。
この操作を受けて、制御部１２は、このビデオカメラ５０の動作を記録モードに設定し、静止画撮影又は動画撮影の実行指示の入力待ち状態とする。
【００４０】
静止画の記録に際しては、入力操作子ＮＳからの静止画撮影指示操作（例えば、静止画撮影ボタンの押し下げ操作）により、入力操作子ＮＳから静止画撮影を指示する入力操作信号Ｓ２ｓが出力される。
【００４１】
この入力操作信号Ｓ２ｓに応じ、制御部１２は、画像処理回路１１ｂに対して、映像信号Ｓ１をＳＤＲＡＭ１３ａに一時記憶させると共に静止画像データとしてＥＮＣ／ＤＥＣ回路１１ｃによりＪＰＥＧ方式でエンコードした後、記録媒体６ａまたは６ｂに記録させるよう指示する。
【００４２】
一方、動画の記録に際しては、操作子ＮＳからの動画撮影指示操作（例えば、動画撮影ボタンの押し下げ操作）により、入力操作子ＮＳから動画撮影を指示する入力操作信号Ｓ２ｄが出力される。
【００４３】
この入力操作信号Ｓ２ｄに応じ、制御部１２は、画像処理回路１１ｂに対して、映像信号Ｓ１を動画像データとしてＥＮＣ／ＤＥＣ回路１１ｃによりＭＰＥＧ方式でエンコードした後、記録媒体６ａまたは６ｂに記録させるよう指示する。
【００４４】
記録／再生切り替えスイッチを再度押し下げると、それまでの記録モードから再生モードへの移行が指示される。
この指示を受けて、制御部１２は、このビデオカメラ５０の動作を再生モードに設定し、再生対象の選択，再生開始などの指示の入力待ち状態とする。
【００４５】
さらに、制御部１２は、記録媒体であるハードディスク６ａまたはメモリーカード６ｂに記録されている静止画ファイルや動画ファイルに対してＥＮＣ／ＤＥＣ回路１１ｃで所定のデコードを施すと共に、それらファイルのインデックスを、アナログＩ／Ｆ１４を介して、表示パネル２ｃに表示させる。
【００４６】
次に、表示部２について図３を用いて詳述する。
図３は、表示部２の操作面２ｂについての正面図である。
特に図３（ａ）は具体化した現物の正面図であり、図３（ｂ）は（ａ）に対応する模式図である。
【００４７】
上述したように、表示部２の筐体２ａの操作面２ｂには、開口部２ｂ１が設けられており、開口部２ｂ１内には、表示パネル２ｃの画像が表示される。
筐体２ａにおいて、開口部２ｂ１に対応した左側の枠部２ａ１には、入力操作子９の一つである、タッチセンサ８が設けられている。
【００４８】
このタッチセンサ８は、指などの接触を検出するタッチ面部８ａ（図３における網掛け部分）が細長に形成されているものである。
そして、その長手方向が開口部２ｂ１の左辺２ｂ１−Ｌと平行になるよう枠部２ａ１に配設されている。
【００４９】
また、このタッチセンサ８は、タッチ面部８ａの長手方向に沿って独立した４つの検出部８ｂ１〜８ｂ４を備えている。
従って、タッチ面部８ａ上を、例えば図３の上方側から下方側に向かって指を接触させたまま滑らせると、その位置に応じ、検出部８ｂ１，８ｂ２，８ｂ３，８ｂ４の順に検出信号が出力される。
【００５０】
一方、筐体２ａにおいて、開口部２ｂ１に対応した下側の枠部２ａ２には、複数のタッチセンサ９Ａ〜９Ｅが操作子群９として配設されている。この実施例では、この操作子群９のタッチセンサは５つである。
【００５１】
タッチセンサ９Ａ〜９Ｅは、各タッチ面部９Ａａ〜９Ｅａが略円形または略楕円形であり、それぞれが単独の検出部を備えている。
【００５２】
また、図３においては、タッチセンサ９Ａ〜９Ｅを理解容易のために大きく描いている。
【００５３】
図３においては、表示パネル２ｃに、再生する画像を選択するためのインデックスが表示されている状態を示している。
具体的には、この画面は複数のシーンから所望のシーンをインデックスにより選択する画面であり、選択されるべき全シーンを各ページ９つずつ表示させるものである。
【００５４】
図３では、画面の右上に全ページ数Ｎと現在表示中のページ番号ｎとが、ｎ／Ｎの形式で表示されている。すなわち、この図３では、６９ページ中の２０ページ目を表示していることが示されている。
【００５５】
１つのページには、９つのシーン（「シーン１」から「シーン９」）に対応した９個の選択領域ＳＲ１〜ＳＲ９がマトリックス状に表示されている。
この選択領域として、各シーンのサムネイル画像を表示してもよく、各シーンの内容を示す文章や内容を特定できるように関連づけられたマークなどでもよい。
【００５６】
また、その内の一つの枠の輝度が高く（ハイライト化）表示され、カーソルがそこにあることを示している。図３の例では「シーン１」にカーソルが位置していることを示している。
【００５７】
また、選択領域ＳＲ１〜ＳＲ９の表示域の下側には、シーン選択以外の動作を指示するための選択領域が表示されている。
具体的には、「選択」動作を指示する場合の選択領域ＳＲ２１，「戻る」動作を指示する場合の選択領域ＳＲ２２，「確認」動作を指示する場合の選択領域ＳＲ２３，及び「終了」動作を指示する場合の選択領域ＳＲ２４である。
【００５８】
一方、各タッチセンサ８，９Ａ〜９Ｅからの入力操作信号Ｓ２に基づいて、制御部１２は、予め設定された動作を実行するよう制御する。この動作は、個々のタッチセンサ８，９Ａ〜９Ｅに対応して予め割り当てられたものである。
【００５９】
具体的な割り当てについて、図３のインデックス選択を一例として以下に示す。
【００６０】
（インデックス選択）
図３において、タッチセンサ８のタッチ面部８ａに対して、指で上方向または下方向になぞられた際に、複数の検出部８ｂ１〜８ｂ４から時系列的に入力操作信号が出力される。
制御部１２は、これに時系列的に出力された入力操作信号に基づいて指の移動量を検出し、検出した量に対応したカーソルの移動量を決定し、その決定した移動量だけカーソルを移動させる。
【００６１】
例えば、カーソル移動量が下方向に１つと決定された場合は、カーソルは「シーン４」に移行する。
また、上方向に１つと決定された場合は、マトリックスの１行分画面が下送りされ、「シーン１」の一つ上に位置するシーンにカーソルが移行する。
【００６２】
この場合のカーソルの移動は、指の移動（なぞり操作）１回につき１回行われる。
【００６３】
また、タッチ面部８ａの上側または下側の半分の領域を所定の時間以上触れることで、その触れている領域の上下に対応づけられた前後方向のページ送りを実行する。
【００６４】
具体的には、現在の表示画面が２０ページ目であり、所定の時間が２秒と設定されている場合、タッチ面部８ａの下側の領域である検出部８ｂ３，８ｂ４で検出される領域を、２秒以上触れていると、制御部１２は、触れている下側と対応づけられた後ろ方向へ、ページ送り動作を実行する。
すなわち、ページを、２１，２２，２３，・・・と移動させる。逆に、上側の領域を触れた場合は、逆にページが１９，１８，・・・と前側に移動する。
【００６５】
一つ送りの場合もページ送りの場合も、送る選択領域あるいは送るページがない選択範囲の末端に達している場合は、カーソルが選択範囲の末端にあることを示すテキストまたはマークなどを表示する。
【００６６】
次に、図４のフローチャートを用い上述したインデックス選択動作について詳述する。
【００６７】
まず、ビデオカメラ５０の電源をオンにする（ＳＴＥＰ１）
【００６８】
記録／再生切り替えスイッチにより再生モードに設定する（ＳＴＥＰ２）
【００６９】
制御部１２は、タッチセンサ８のタッチ面部８ａの上半分領域と下半分領域のどちらに人体が触れているかの判定を、検出部８ｂ１〜８ｂ４からの出力信号に基づいて行う（ＳＴＥＰ３）。
【００７０】
上半分と判定した場合、制御部１２は、タッチ面部８ａへの接触がスライド操作（なぞり操作）なのか、移動のないタップ操作なのかを判定する（ＳＴＥＰ４）。
これは、出力信号の送出元の検出部８ｂ１〜８ｂ４が、時系列的に変わるか否かで判定する。時系列的に変われば、スライド操作であり、変わらなければタップ操作である。
【００７１】
制御部１２は、スライド操作と判定した場合、インデックス表示のカーソルが位置するシーン番号を一つ戻す（ＳＴＥＰ５）。すなわち、カーソルを一つ前のシーンの選択領域に移動する。
【００７２】
タップ操作と判断した場合、接触時間を判定する（ＳＴＥＰ６）。
この接触時間の判定は、設定された時間以上か未満かで判定する。
【００７３】
この実施例では、２秒を基準値としているので、接触が２秒以上であれば、ページ戻しを実行する（ＳＴＥＰ７）。接触が２秒未満の場合は、そのまま維持する（ＳＴＥＰ８）。
【００７４】
ＳＴＥＰ３で、下半分領域と判定した場合、制御部１２は、ＳＴＥＰ４と同様の、タッチ面部８ａへの接触がスライド操作（なぞり操作）なのか、移動のないタップ操作なのかを判定する（ＳＴＥＰ９）。
【００７５】
制御部１２は、スライド操作と判定した場合、インデックス表示のカーソルが位置するシーン番号を一つ送る（ＳＴＥＰ１０）。すなわち、カーソルを一つ後のシーンの選択領域に移動する。
【００７６】
タップ操作と判断した場合、ＳＥＴＰ６と同様に接触時間を判定する（ＳＴＥＰ１１）。
【００７７】
接触が２秒以上であれば、ページ送りを実行する（ＳＴＥＰ１２）。接触が２秒未満の場合は、そのまま維持する（ＳＴＥＰ１３）。
【００７８】
以上は、選択領域による複数シーンのインデックス選択の例であるが、他の表示及び操作の例としてメニュー選択の場合を説明する。
【００７９】
（メニュー選択）
図５において、タッチセンサ８のタッチ面部８ａに対して、指で上方向または下方向になぞられた際に、複数の検出部８ｂ１〜８ｂ４から時系列的に入力操作信号が出力される。
【００８０】
制御部１２は、これに時系列的に出力された入力操作信号に基づいて指の移動量を検出し、検出した量に対応したカーソルの移動量を決定し、その決定した移動量だけカーソルを移動させる。
【００８１】
図５は、メニュー選択の例を示している。
この図は、ビデオカメラ５０の複数の機能から所望の機能を選択するメニュー画面を示している。
【００８２】
各メニューは、それぞれ選択領域として画面の縦方向に配列されている。図５では、画面に表示可能な５つの選択領域ＳＲ３１〜ＳＲ３５が示され、その前後（上下）に隠れている選択領域が存在してそこへの画面移動が可能であることを示す三角マークＳＭ１，ＳＭ２が表示されている。
【００８３】
また、表示された選択領域の内の一つの選択領域ＳＲ３３の枠の輝度が高く（ハイライト化）表示され、カーソルがそこにあることを示している。図５の例では撮影モードにカーソルが位置していることを示している。
【００８４】
このメニュー選択の場合も、タッチセンサ８に対して、指で上方向または下方向になぞられた際に、複数の検出部８ｂ１〜８ｂ４から時系列的に入力操作信号が出力される。
【００８５】
制御部１２は、これに時系列的に出力された入力操作信号に基づいて指の移動量を検出し、検出した量に対応したカーソルの移動量を決定し、その決定した移動量だけカーソルを移動させる。
【００８６】
例えば、カーソル移動量が下方向に１つと決定された場合は、カーソルは「イベント設定」に移行する。
また、カーソルが「高速起動」にあり、カーソル移動量が下方向に１つと決定された場合は、マトリックスの１行分画面が上送りされ、「高速起動」の一つ下に位置するメニューにカーソルが移行する。
【００８７】
この場合のカーソルの移動は、指の移動（なぞり動作）１回につき１回行われる。
【００８８】
また、タッチ面部８ａの上側または下側の半分の領域を所定の時間以上触れることで、その触れている領域の上下に対応づけられた前後（上下）方向のメニュー送りを表示されているメニューの数単位で実行する。
【００８９】
具体的には、表示されているメニューがｎ個（ｎは１以上の整数）であり、所定の時間が２秒と設定されている場合、タッチ面部８ａの下側の領域である検出部８ｂ３，８ｂ４で検出される部分を、２秒以上触れていると、制御部１２は、触れている下側と対応づけられた後ろ方向へ、メニュー送り動作をｍ個（ｍ＝ｎ）単位で実行する。
【００９０】
ここで、ｎが２以上の場合に、ｍを、ｍ＜ｎ（ｍは１以上の整数）としてもよい。また、このｍの値を使用者が設定できるようにしてもよい。
【００９１】
さらに別の例として機能調整の場合を説明する。
【００９２】
（フォーカス調整）
図６において、タッチセンサ８のタッチ面部８ａに対して、指で上方向または下方向になぞられた際に、複数の検出部８ｂ１〜８ｂ４から時系列的に入力操作信号が出力される。
【００９３】
制御部１２は、これに時系列的に出力された入力操作信号に基づいて指の移動量を検出し、画面に表示される調整領域の中に表示される現在のフォーカス位置を示すポインタの移動量を決定し、その決定した移動量だけポインタを移動させる。
【００９４】
図６は、フォーカス調整の例を示している。
この図は、ビデオカメラ５０のフォーカスを画面上で調節するための画面を示している。
【００９５】
このフォーカス調整の画面は、フォーカス調整の自動／マニュアル選択スイッチをマニュアルに切り替えると表示されるようになっている。
【００９６】
この画面において、フォーカスの調整範囲を示す縦長の調整領域４１が表示される。
この調整領域４１において、上端がフォーカス位置無限遠を示し、下端が最近接位置を示している。
また、調整領域４１の上端側には無限遠を示す「無限」の文字を表示し、下端側には最近接位置を示す「至近」の文字を表示している。
また、調整領域４１内には、現在のフォーカス位置を示す横バーであるポインタ４２が表示されている。
【００９７】
タッチセンサ８のタッチ面部８ａを指で上方向または下方向になぞると、そのなぞった操作毎に、なぞった方向に対応する遠方向または近方向へフォーカス位置が１ステップ移動する。
【００９８】
また、インデックス選択及びメニュー選択の場合と同様に、タッチ面部８ａの上側または下側の半分の領域を所定の時間以上触れることで、その触れている領域の上下に対応づけられた遠近方向へフォーカスが予め設定されたステップ数単位で移動する。
【００９９】
これにより、ステップ数が多いフォーカス調整動作において、１ステップ毎の微妙なフォーカス調整と、無限遠方から最近接位置までの任意の区間でのフォーカスの高速移動を、１つの入力操作子（タッチセンサ８）で実行することができる。
【０１００】
このフォーカス調整と同様に、ワイドとテレとの間のズーム操作，明るさのマニュアル調整などを行うことができ、いずれの場合も、同様の効果を得ることができる。
【０１０１】
次に、図７のフローチャートを用い上述したフォーカス調整動作について詳述する。
【０１０２】
まず、ビデオカメラ５０の電源をオンにする（ＳＴＥＰ２１）
【０１０３】
撮影スイッチにより撮影モードに設定する（ＳＴＥＰ２２）
【０１０４】
制御部１２は、タッチセンサ８のタッチ面部８ａの上半分領域と下半分領域のどちらに人体が触れているかの判定を、検出部８ｂ１〜８ｂ４からの出力信号に基づいて行う（ＳＴＥＰ２３）。
【０１０５】
上半分と判定した場合、制御部１２は、タッチ面部８ａへの接触がスライド操作（なぞり操作）なのか、移動のないタップ操作なのかを判定する（ＳＴＥＰ２４）。
これは、出力信号の送出元の検出部８ｂ１〜８ｂ４が、時系列的に変わるか否かで判定する。時系列的に変われば、スライド操作であり、変わらなければタップ操作である。
【０１０６】
制御部１２は、スライド操作と判定した場合、フォーカス位置を無限遠側に１ステップ移動させる（ＳＴＥＰ２５）。
【０１０７】
タップ操作と判断した場合、接触時間を判定する（ＳＴＥＰ２６）。
この接触時間の判定は、設定された時間以上か未満かで判定する。
【０１０８】
この実施例では、２秒を基準値としているので、接触が２秒以上であれば、フォーカスを無限遠側に所定のステップ数ｔ１（ｔ１：２以上の整数）だけ移動させる（ＳＴＥＰ２７）。この例ではｔ１＝１０である。接触が２秒未満の場合は、そのまま維持する（ＳＴＥＰ２８）。
【０１０９】
ＳＴＥＰ２３で、下半分領域と判定した場合、制御部１２は、ＳＴＥＰ２４と同様の、タッチ面部８ａへの接触がスライド操作（なぞり操作）なのか、移動のないタップ操作なのかを判定する（ＳＴＥＰ２９）。
【０１１０】
制御部１２は、スライド操作と判定した場合、フォーカスを至近側に１ステップ移動させる（ＳＴＥＰ３０）。
【０１１１】
タップ操作と判断した場合、ＳＥＴＰ２６と同様に接触時間を判定する（ＳＴＥＰ３１）。
【０１１２】
接触が２秒以上であれば、フォーカスを至近側に所定のステップ数ｔ２（ｔ２：２以上の整数）だけ移動させる（ＳＴＥＰ３２）。この例ではｔ２＝１０である。接触が２秒未満の場合は、そのまま維持する（ＳＴＥＰ３３）。
【０１１３】
上述した選択例あるいは調整例において、カーソルの移動において移動できる選択領域がない場合，表示中のページが末端ページの場合、または、ポインタの移動において、すでに無限遠方か最近接位置にフィーカスがある場合は、カーソルやポインタが移動可能範囲の末端にあることを示すテキストまたはマークなどを表示する。
【０１１４】
このように、タッチセンサ８には、少なくとも２つの機能が割り当てられている。
具体的には、所定時間未満の接触でのすべり操作によるカーソルの単発移動動作指示または１ステップ毎の調整位置の移動動作指示、及び、所定時間以上の接触による、ページ送り動作指示，所定の選択領域数毎の送り動作指示，または所定のステップ数毎の調整位置の移動動作指示である。
【０１１５】
複数の機能をそれよりも少ない数の入力操作子で実行できるので、表示部２の枠部２ａ２の限られたスペースを効率よく活用できる。
【０１１６】
タッチセンサ９Ａ〜９Ｅについては、単独の機能が割り当てられている。
例えば、タッチセンサ９Ａは、カーソルで選択された選択領域の決定指令を発信するものであり、タッチセンサ９Ｅは、メニュー画面を表示させる指令を発信するものである。
【０１１７】
このビデオカメラ５０は、図１を基にした上述のように、タッチセンサ８と協働する別のタッチセンサ１８（以下、区別のため便宜的にサブタッチセンサ１８とも称する）を備えている。
【０１１８】
具体的には、このサブタッチセンサ１８は、タッチセンサ８の上方側の、操作面２ｂと筐体２ａの天側の側面２ｅとに跨るように、設けられている。
すなわち、このサブタッチセンサ１８は、長手を有する細長のタッチ面部８ａを有するタッチセンサ８に対し、その長手方向の延長上に配設されている。
【０１１９】
そのため、図１４に示すように、サブタッチセンサ１８を左手の人指し指Ｙ１で触りながら、タッチセンサ８を親指Ｙ２で操作することができ、２つのセンサに対して容易に入力を行うことができる。この操作は、サブタッチセンサ１８とタッチセンサ８との相対位置がちょうど手と指の自然な状態に適合しているので、極めてスムーズに行うことができる。
そして、サブタッチセンサ１８に対して人体の接触がされているか、接触がされていないか、を、サブタッチセンサ１８からの信号出力の有無により制御部１２が判定し、その有無に応じてタッチセンサ８の操作に伴って出力された信号に基づいて行う表示画面の変化を異ならせる。
また、装置自体の動作を異ならせてもよい。
【０１２０】
次に、そのサブタッチセンサ１８の作用について詳述する。
【０１２１】
ここで説明する例は、上述したインデックス検索の例である。
【０１２２】
図８は、図３に相当する図であり、「シーン１」から「シーン９」までの９つのシーンに対応した選択領域がマトリックス状にて画面に表示されている。
【０１２３】
上述したシーンのインデックス検索例においては、カーソルの移動をシーンの番号の昇降で行うものであったが、この例では、画面の上下左右の方向で実行するものである。
そのために、使用者が、予め、カーソルの移動を、番号の昇降移動とするか、画面の上下左右方向に移動するかを選択できるようにしてある。
【０１２４】
そして、上下左右方向への移動を選択した場合に、サブタッチセンサ１８に触れずにタッチセンサ８を操作した場合は、タッチセンサ８に対する上下操作が、カーソルの上下方向の移動に対応するように設定されている。
【０１２５】
ここで、図８に示すように、操作ガイダンスマーク１９を表示させてもよい。
この操作ガイダンスマーク１９は、タッチセンサ８の操作により、カーソルが、図８における上下方向へ移動することを示すマークである。
【０１２６】
このマーク１８の具体的例としては、上方向と下方向とを向く両矢印形状のマークである。また、図８のように、両矢印近傍に「上」及び「下」の文字表示をさせてもよい。
【０１２７】
図９は、サブタッチセンサ１８に触れた状態でタッチセンサ８を操作した場合を示している。
【０１２８】
この場合、タッチセンサ８の上下操作が、カーソルの左右方向の移動に対応するように設定されている。
そして、操作ガイダンスマーク１９は、カーソルが左右方向に移動することを示す操作ガイダンスマーク２０が表示される。
【０１２９】
このマーク１９の具体的例としては、左方向と右方向とを向く両矢印形状のマークである。また、図９のように、両矢印近傍に「左」及び「右」の文字表示をさせてもよい。
【０１３０】
図１０は、この場合の動作の一部であって、カーソルの上下移動と左右移動とを判別する工程を含むフローチャートである。
【０１３１】
図１０に示すように、電源を投入し（ＳＴＥＰ８１）、再生モードに設定（ＳＴＥＰ８２）したのち、制御部１２は、入力操作子ＮＳによりカーソル昇降移動か方向移動かを選択する（ＳＴＥＰ８３）。
【０１３２】
次に、制御部１２は、サブタッチセンサ１８への人体の接触有無を判定し（ＳＴＥＰ８４）、触れられていれば、制御部１２は、カーソルの左右方向移動（横移動）モードに設定する（ＳＴＥＰ８５）。
【０１３３】
サブタッチセンサ１８に触れられていなければ、制御部１２は、カーソルの上下方向移動（縦移動）モードに設定する（ＳＴＥＰ８６）。
【０１３４】
タッチセンサ８及びサブタッチセンサ１８は、画面直近の画面枠に設けられて画面に表示されたアイコン，マーク，または選択領域に対応した複数の動作を協働して効率良く実行できるものであるが、さらに、画面から離れた位置にさらに別のタッチセンサ２８，２９（以下、補助タッチセンサ２８，２９とも称する）を設けて、タッチセンサ８及びサブタッチセンサ１８と協働させてもよい。
【０１３５】
以下に、その例１と例２とについて説明する。
【０１３６】
（補助タッチセンサ例１）
図１１は、ビデオカメラ５０の本体部１の後方側上面に配置された、楕円形状の静止画撮影ボタン２１と、それを囲繞するように設けられた補助タッチセンサ２８とを示している（図１も参照）。
【０１３７】
また、この静止画撮影ボタン２１の近傍には、ズームレバー（音量制御兼用）２２が配設されている。
【０１３８】
ビデオメラ５０は、動画と静止画とを撮影することが可能である。
そして、この静止画撮影ボタン２１は、その静止画撮影モードにおいて押し下げられると、その時点での静止画像を取り込んでメモリに保存するように制御部１２に指令するトリガスイッチとして機能する。
【０１３９】
このビデオカメラ５０は、静止画撮影ボタン２１に指が載せられると、自ずとその周囲の補助タッチセンサ２８にもその指が触れることを利用し、触れたときに静止画撮影モードに自動的に移行するように設定されている。
【０１４０】
静止画撮影モードに移行した際には、表示パネル２ｃに表示される画面も、静止画撮影モード時の表示に自動的に変わり、タッチセンサ８及びサブタッチセンサ１８の機能もその静止画撮影モード時の表示に対応した機能が制御部１２により割り当てられる。
【０１４１】
図１２は、この場合の動作における、補助タッチセンサ２８に指などの人体が触れられているか否かにより、動画撮影モードと静止が撮影モードとを切り替える工程を含むフローチャートである。
【０１４２】
図１２に示すように、電源を投入したのち（ＳＴＥＰ９１）、補助タッチセンサ２８に接触があるか無いかを、制御部１２は判定する（ＳＴＥＰ９２）。
【０１４３】
補助タッチセンサ２８に触れられていれば、制御部１２は、静止画像撮影モードに設定する（ＳＴＥＰ９３）。
補助タッチセンサ２８に触れられていなければ、制御部１２は、動画撮影モードに設定する（ＳＴＥＰ９４）。
【０１４４】
（補助タッチセンサ例２）
図１において、ビデオカメラ５０は、グリップ部４を手で把持した際に必ず掌が当たる位置に、補助タッチセンサ２９が配設されている。
【０１４５】
そして、グリップ部４が手で把持され、この補助タッチセンサ２９に接触があり、さらに、録画のトリガーボタン２３が押し込まれると主電源が投入される。
【０１４６】
通常、ビデオカメラの電源投入ボタンとして、押しボタンを採用することは、バックなどに入れた際の誤入力を防ぐために避けられる。
【０１４７】
そのため、押しボタン単独ではなく、このように補助タッチセンサ２９と押しボタンとを組み合わせることで、誤操作が防止でき、操作性が向上し、ボタン類を削減することでより一層の小型化が図れる。
【０１４８】
図１３は、主電源がオフであって、電源が待機状態にある場合に、補助タッチセンサ２９に掌などが触れられているか否かにより、制御部が、主電源をオンにするかオフのままとするかを選択する工程を含むフローチャートである。
【０１４９】
図１３に示すように、補助タッチセンサ２９に人体の接触があるか無いかを、制御部１２は判定する（ＳＴＥＰ１３１）。
【０１５０】
補助タッチセンサ２９に接触がない場合は、制御部１２は、主電源をオフのままとする（ＳＴＥＰ１３２）。
補助タッチセンサ２８に接触がある場合、制御部１２は、トリガースイッチ（撮影スイッチ）２３の押し込み有無を判定する（ＳＴＥＰ１３３）。
【０１５１】
トリガスイッチ２３が押し込まれたら、制御部１２は、主電源をオンにする（ＳＴＥＰ１３４）。
【０１５２】
トリガスイッチ２３が押し込まれていなければ、制御部１２は、主電源をオフのままで維持する（ＳＴＥＰ１３５）。
そして、再び補助タッチセンサ２８の接触有無を判定し、これを繰り返す。
【０１５３】
以上詳述したように、サブタッチセンサ１８及び補助タッチセンサ２８は、いずれも、タッチされる度に入力を認識して信号を出力するものではなく、タッチされている状態で常に信号を出力するものである。
【０１５４】
そして、このサブタッチセンサ１８または補助タッチセンサ２８に対して指などが接触中の状態にあるか、または、接触してない状態にあるか、で、制御部１２は、メインとなるタッチセンサ８の機能を切り替える。
【０１５５】
そのため、タッチセンサ８の単独では限界があった多くの機能の兼用を、サブタッチセンサ１８または補助タッチセンサ２８と組み合わせることで、行わせることができる。
【０１５６】
一方、サブタッチセンサ１８または補助タッチセンサ２８に対する接触を、タッチセンサ８の入力を許容する条件とすれば、タッチセンサ８のみの短時間の接触は実質的に無視されるので、意図せずタッチセンサ８に触れて誤入力されるという不具合は生じにくくなっている。
【０１５７】
ここで、タッチセンサ８，サブタッチセンサ１８，及び補助タッチセンサ２８，２９は、その指などをタッチするタッチ面部8ａ，１８ａ，２８ａに、他の部位との区別のために窪みや出っ張りをつけるなどするとよい。
【０１５８】
図１５は、その一例としてタッチセンサ８のタッチ部面部８ａに窪みである凹部８ａ１を設けた例である。
凹部８ａ１にはさらにシボ加工を施してもよい。
【０１５９】
各タッチセンサ８，１８，２８，２９と操作子群９のタッチセンサとは、互いに区別できるように、異なる形状、異なる表面処理状態、で形成されているとよい。
【０１６０】
特に、ビデオカメラなどの撮像装置や、車載用の画像表示装置の場合は、センサを目視で確認することができない、または、し難いので、触感のみで触っているセンサの種類を判別できるのは望ましい。
【０１６１】
本発明の実施例は、上述した構成及び手順に限定されるものではなく、本発明の要旨を逸脱しない範囲において変形例としてもよいのは言うまでもない。
本発明は、実施例で説明した撮像装置に適用が限定されるものではない。画像を表示する表示パネルを筐体に納めて、筐体にタッチセンサを配設した機器であれば、適用が可能である。
具体的な機器の例としては、携帯電話，ポータブル音楽／映像プレーヤ，携帯情報端末（ＰＤＡ），ポータブルナビゲーション装置（ＰＮＤ），ゲーム機，パーソナルコンピュータ（ＰＣ）などがある。
【図面の簡単な説明】
【０１６２】
【図１】本発明の撮像装置の実施例を説明するための斜視図である。
【図２】本発明の撮像装置の実施例を説明するためのブロック図である。
【図３】本発明の撮像装置の実施例における表示部を説明するための平面図である。
【図４】本発明の撮像装置の実施例におけるインデックス操作のフローチャートである。
【図５】本発明の撮像装置の実施例におけるメニュー操作画面を説明するための平面図である。
【図６】本発明の撮像装置の実施例におけるフォーカス調整画面を説明するための平面図である。
【図７】本発明の撮像装置の実施例におけるフォーカス調整のフローチャートである。
【図８】本発明の撮像装置の他の実施例の表示部を説明するための平面図である。
【図９】本発明の撮像装置の他の実施例の作用を説明するための平面図である。
【図１０】本発明の撮像装置の他の実施例の動作を説明するためのフローチャートである。
【図１１】本発明の撮像装置の他の実施例における補助タッチセンサを説明するための図である。
【図１２】本発明の撮像装置の他の実施例における補助タッチセンサの例１の操作を説明するためのフローチャートである。
【図１３】本発明の撮像装置の他の実施例における補助タッチセンサの例２の操作を説明するためのフローチャートである。
【図１４】本発明の撮像装置の実施例におけるサブタッチセンサを説明するための斜視図である。
【図１５】本発明の撮像装置の実施例におけるタッチセンサを説明するための部分断面図である。
【符号の説明】
【０１６３】
１  本体部
１ａ  ヒンジ部
２  表示部
２ａ  筐体
２ａ１  （左側の）枠部
２ａ２  （下側の）枠部
２ｂ  一面（操作面）
２ｂ１  開口部（窓部）
２ｂ１−Ｌ  左辺
２ｃ  表示パネル
２ｄ  一側面
３  レンズ部
４  グリップ部
５  撮像素子
６  ハードディスク装置
６ａ  ハードディスク（記録媒体）
６ｂ  メモリーカード（記録媒体）
７  制御部
８  タッチセンサ
８ａ  タッチ面部
８ｂ１〜８ｂ４  検出部
９  操作子群
９Ａ〜９Ｅ  タッチセンサ
１０  信号処理部
１１ａ  カメラ制御回路
１１ｂ  画像処理回路
１１ｃ  ＥＮＣ／ＤＥＣ回路
１２  ＣＰＵ（制御部）
１３ａ，１３ｂ，１３ｃ  バッファメモリ
１４  アナログＩ／Ｆ
１８  サブタッチセンサ
１９，２０  操作ガイダンスマーク
２１  静止画ボタン
２２  ズームレバー
２３  トリガーボタン
２８，２９  補助タッチセンサ
３０  電源（バッテリ）
３１  外部入出力部
４１  調整領域
５０  ビデオカメラ
ＣＬ１，ＣＬ２  回動軸
ＮＳ  入力操作子
Ｓ１  映像信号
Ｓ２，Ｓ２ｓ，Ｓ２ｄ  入力操作信号
ＳＲ１〜ＳＲ９  選択領域
【図１】
2009164757.tif 000003
【図２】
2009164757.tif 000004
【図４】
2009164757.tif 000005
【図５】
2009164757.tif 000006
【図６】
2009164757.tif 000007
【図７】
2009164757.tif 000008
【図８】
2009164757.tif 000009
【図９】
2009164757.tif 000010
【図１０】
2009164757.tif 000011
【図１１】
2009164757.tif 000012
【図１２】
2009164757.tif 000013
【図１３】
2009164757.tif 000014
【図１４】
2009164757.tif 000015
【図１５】
2009164757.tif 000016
【図３】
2009164757.tif 000017